(57)【特許請求の範囲】
【請求項１】
ＩＰネットワークに接続され、通信端末と無線通信可能な無線通信装置であって、
前記ＩＰネットワークを介してパケットの送受信を行うパケット送受信部と、
前記パケットの送受信によりＶｏＩＰ通信を行うＶｏＩＰ通信部と、
前記通信端末についての無線通信の設定情報を記憶する設定情報管理部と、
前記設定情報に基づいて前記通信端末との無線通信を行う無線通信機能部と、
前記設定情報からなるデータを前記パケットに挿入し、前記設定情報を含む送信パケットを生成して前記パケット送受信部に供給するデータ処理部と、
を含むことを特徴とする無線通信装置。
【請求項２】
前記データ処理部は、音声符号化規格に従って生成された無音データを用いて、前記設定情報を含む前記送信パケットを生成することを特徴とする請求項１に記載の無線通信装置。
【請求項３】
前記ＶｏＩＰ通信部は、前記ＩＰネットワークを介した前記通信端末からの発呼に応答して、前記通信端末との間のＶｏＩＰ通信を開始し、
前記データ処理部は、前記ＶｏＩＰ通信が開始された後、前記設定情報を含む前記送信パケットを生成し、
前記パケット送受信部は、前記設定情報を含む前記送信パケットを前記ＩＰネットワークを介して前記通信端末に送信することを特徴とする請求項１又は２に記載の無線通信装置。
【請求項４】
ＶｏＩＰ通信における前記通信端末の認証情報を格納する認証情報管理部をさらに含み、
前記認証情報管理部は、前記通信端末から前記通信端末の認証情報を受信し、前記認証情報管理部に格納された認証情報を用いて前記通信端末の認証を行い、
前記ＶｏＩＰ通信部は、前記認証情報管理部が前記認証を承認した場合、前記通信端末との間のＶｏＩＰ通信を開始することを特徴とする請求項３に記載の無線通信装置。
【請求項５】
前記ＶｏＩＰ通信部は、前記ＩＰネットワークを介した前記ＩＰネットワーク内のサーバからの発呼に応答して、前記サーバとの間のＶｏＩＰ通信を開始し、
前記データ処理部は、前記無線通信装置と前記サーバとの間の前記ＶｏＩＰ通信及び前記サーバと前記通信端末との間の通信が開始された後、前記設定情報を含む前記送信パケットを生成し、
前記パケット送受信部は、前記設定情報を含む前記送信パケットを前記ＩＰネットワークを介して前記サーバに送信することを特徴とする請求項１又は２に記載の無線通信装置。
【請求項６】
ＶｏＩＰ通信における前記通信端末の認証情報を格納する認証情報管理部をさらに含み、
前記認証情報管理部は、前記サーバから前記通信端末の認証情報を受信し、前記認証情報管理部に格納された認証情報を用いて前記通信端末の認証を行い、
前記ＶｏＩＰ通信部は、前記認証情報管理部が前記認証を承認した場合、前記サーバとの間のＶｏＩＰ通信を開始することを特徴とする請求項５に記載の無線通信装置。
【請求項７】
前記データ処理部は、前記通信端末からの受信パケットに前記設定情報の設定要求が含まれている場合に、前記設定情報を含むパケットを生成して前記パケット送受信部に供給することを特徴とする請求項３乃至６のいずれか１に記載の無線通信装置。
【請求項８】
ＩＰネットワークを介してパケットの送受信を行うパケット送受信部と、
前記パケットの送受信によりＶｏＩＰ通信を行うＶｏＩＰ通信部と、
受信パケットから無線通信の設定情報を含むデータを抽出するデータ処理部と、
前記設定情報を管理する設定情報管理部と、
前記設定情報に基づいて無線通信を行う無線端末機能部と、
を含むことを特徴とする通信端末。
【請求項９】
ＶｏＩＰ通信のための認証情報の入力操作を受け付ける入力受付部をさらに備え、
前記ＶｏＩＰ通信部は、ＶｏＩＰ通信の発呼を行うとともに、入力された前記認証情報を前記ＩＰネットワークを介して送信することを特徴とする請求項８に記載の通信端末。
【請求項１０】
通信端末と、ＩＰネットワークに接続され前記通信端末と無線通信可能な無線通信装置と、を含む通信システムであって、
前記無線通信装置は、
前記ＩＰネットワークを介してパケットの送受信を行う第１パケット送受信部と、
前記パケットの送受信によりＶｏＩＰ通信を行う第１ＶｏＩＰ通信部と、
前記通信端末についての無線通信の設定情報を記憶する第１設定情報管理部と、
前記設定情報に基づいて前記通信端末と無線通信を行う無線通信機能部と、
前記設定情報からなるデータを前記パケットに挿入し、前記設定情報を含む送信パケットを生成して前記第１パケット送受信部に供給する第１データ処理部と、
を含むことを特徴とする通信システム。
【請求項１１】
前記通信端末は、
前記ＩＰネットワークを介してパケットの送受信を行う第２パケット送受信部と、
前記パケットの送受信によりＶｏＩＰ通信を行う第２ＶｏＩＰ通信部と、
受信パケットから前記設定情報を含むデータを抽出する第２データ処理部と、
前記設定情報を管理する第２設定情報管理部と、
前記設定情報に基づいて無線通信を行う無線端末機能部と、
を含むことを特徴とする請求項１０に記載の通信システム。
【請求項１２】
前記通信端末は、前記ＩＰネットワークを介して前記無線通信装置に発呼し、
前記無線通信装置は、前記発呼に応答して前記通信端末との間のＶｏＩＰ通信を開始し、前記設定情報を含む前記パケットを生成して前記通信端末に送信し、
前記通信端末は、前記パケットを受信して前記設定情報を含むデータを抽出し、前記設定情報を含むデータに基づいて無線通信の設定を行うことを特徴とする請求項１１に記載の通信システム。
【請求項１３】
前記無線通信装置は、
ＶｏＩＰ通信における前記通信端末の認証情報を格納する認証情報管理部をさらに含み、
前記認証情報管理部は、前記通信端末から前記通信端末の認証情報を受信し、前記認証情報管理部に格納された認証情報を用いて前記通信端末の認証を行い、
前記ＶｏＩＰ通信部は、前記認証情報管理部が前記認証を承認した場合、前記通信端末との間のＶｏＩＰ通信を開始することを特徴とする請求項１１又は１２に記載の通信システム。
【請求項１４】
前記ＩＰネットワーク上に設けられ、携帯通話網を介して前記通信端末と通信可能なサーバをさらに含み、
前記通信端末は、
前記携帯電話網を介して通信を行う携帯通話機能部と、
前記設定情報を管理する第２設定情報管理部と、
前記設定情報に基づいて無線通信を行う無線端末機能部と、
前記携帯電話網を介して取得した音声データに含まれる情報を取得する音声認識部と、
を含み、
前記サーバは、
前記ＩＰネットワークを介してパケットの送受信を行う第３パケット送受信部と、
前記携帯電話網を介して音声データの送受信を行う音声データ送受信部と、
前記前記無線通信装置からの受信パケットから前記設定情報を含むデータを抽出する第３データ処理部と、
抽出した前記設定情報を含むデータを音声データに変換し、前記音声データ送受信部に供給する音声データ生成部と、
を含むことを特徴とする請求項１０に記載の通信システム。
【請求項１５】
前記通信端末は、前記携帯電話網を介して前記サーバに発呼し、
前記サーバは、前記通信端末からの発呼に応答して前記通信端末と音声データ通信を開始するとともに、前記無線通信装置に発呼し、
前記無線通信装置は、前記サーバからの前記発呼に応答して前記サーバとの間のＶｏＩＰ通信を開始し、前記設定情報を含むパケットを生成して前記サーバに送信し、
前記サーバは、前記無線通信装置からの前記パケットを受信して前記設定情報を含むデータを抽出し、前記設定情報を含む前記データを音声データに変換して、前記通信端末に送信し、
前記通信端末は、前記音声データを受信して前記設定情報を含むデータを抽出し、前記設定情報を含むデータに基づいて無線通信の設定を行うことを特徴とする請求項１４に記載の通信システム。
【請求項１６】
前記無線通信装置は、
ＶｏＩＰ通信における前記通信端末の認証情報を格納する認証情報管理部をさらに含み、
前記認証情報管理部は、前記サーバから前記通信端末の認証情報を受信し、前記認証情報管理部に格納された認証情報を用いて前記通信端末の認証を行い、
前記ＶｏＩＰ通信部は、前記認証情報管理部が前記認証を承認した場合、前記サーバとの間のＶｏＩＰ通信を開始することを特徴とする請求項１４又は１５に記載の通信システム。
【請求項１７】
ＳＩＰ（Session Initiation Protocol）を用いて前記ＶｏＩＰ通信を行うことを特徴とする請求項１０乃至１６のいずれか１に記載の通信システム。
【請求項１８】
通信端末と無線通信可能な無線通信装置を制御するプログラムであって、
前記通信端末からの発呼に応答してＶｏＩＰ通信を行うＶｏＩＰ通信処理と、
前記通信端末についての無線通信の設定情報をパケットに重畳し、前記設定情報を含む送信パケットを生成する送信パケット生成処理と、
前記ＶｏＩＰ通信において、前記送信パケットを前記通信端末に送信するパケット送信処理と、
を実行させることを特徴とするプログラム。
【請求項１９】
前記通信端末から前記通信端末の認証情報を受信し、前記ＶｏＩＰ通信の開始前に前記通信端末の認証を行う認証処理を実行させることを特徴とする請求項１８に記載のプログラム。
【発明の詳細な説明】
【技術分野】
【０００１】
本発明は、無線通信装置、通信端末、通信システム及びプログラムに関する。
【背景技術】
【０００２】
無線通信において、例えばＩＥＥＥ（Institute of Electrical and Electronics Engineers）８０２．１１規格に準拠した無線ＬＡＮ（Local Area Network）を用いて通信を行う場合、無線ＬＡＮのアクセスポイントとして動作する無線通信装置（以下、ゲートウェイ装置とも称する）及び無線通信端末の間で通信設定を行う必要がある。そこで、無線通信端末とゲートウェイ装置との間で、ＳＳＩＤ（Service Set Identifier）や暗号キーといった設定情報の送受信が行われる。
【０００３】
かかる設定情報を用いた設定をユーザが容易に行えるようにするため、ＷＰＳ（Wi-Fi Protected Setup）等の規格を用いた設定方法が用いられている。ＷＰＳによる設定においては、例えばユーザが無線通信端末においてＷＰＳ開始のボタンを押下して無線通信端末からゲートウェイ装置に設定情報を送信した後、ゲートウェイ装置においてもＷＰＳ開始のボタンを押下し、ゲートウェイ装置から無線通信端末に設定情報を送信する。
【０００４】
また、設定情報をＱＲコード（登録商標）等の画像パターンや音声パターン等に変換し、これをカメラやマイクロフォンによって読み取ることによって、ユーザによる設定情報の入力を容易にする方法が考えられた（例えば、特許文献１）。
【先行技術文献】
【特許文献】
【０００５】
【特許文献１】特開２００８−２１１５０７号公報
【発明の概要】
【発明が解決しようとする課題】
【０００６】
上記のようなＷＰＳ規格による設定情報の設定にあたっては、無線通信端末だけではなくゲートウェイ装置に対してもボタンの押下等の制御を行う必要がある。また、上記のようなＱＲコード（登録商標）等の画像パターンや音声パターンを用いた設定においては、ＳＳＩＤや暗号キーの設定が変更されるとパターン自体を再生成する必要があるため、その都度ゲートウェイ装置を制御して設定を行う必要がある。したがって、ユーザが行わなければならない操作が多いという問題があった。
【０００７】
また、設定情報を送受信するためには、有線通信や近距離の無線通信等を用いてゲートウェイ装置と無線通信端末とを予め接続し、直接通信を行う必要がある。したがって、通信設定を行う際の場所的な制約が大きいという問題があった。
【０００８】
本発明は、上記問題点に鑑みてなされたものであり、ユーザの操作の手間が少なく、場所的な制約が小さい無線通信の設定が可能な無線通信装置を提供することを目的とする。
【課題を解決するための手段】
【０００９】
本発明による無線通信装置は、ＩＰネットワークに接続され、通信端末と無線通信可能な無線通信装置であって、前記ＩＰネットワークを介してパケットの送受信を行うパケット送受信部と、前記パケットの送受信によりＶｏＩＰ通信を行うＶｏＩＰ通信部と、前記通信端末についての無線通信の設定情報を記憶する設定情報管理部と、前記設定情報に基づいて前記通信端末との無線通信を行う無線通信機能部と、前記設定情報からなるデータをパケットに挿入し、前記設定情報を含む送信パケットを生成して前記パケット送受信部に供給するデータ処理部と、を含むことを特徴とする。
【００１０】
また、本発明による通信端末は、ＩＰネットワークを介してパケットの送受信を行うパケット送受信部と、前記パケットの送受信によりＶｏＩＰ通信を行うＶｏＩＰ通信部と、受信パケットから無線通信の設定情報を含むデータを抽出するデータ処理部と、前記設定情報を管理する設定情報管理部と、前記設定情報に基づいて無線通信を行う無線端末機能部と、を含むことを特徴とする。
【００１１】
また、本発明による通信システムは、通信端末と、ＩＰネットワークに接続され前記通信端末と無線通信可能な無線通信装置と、を含む通信システムであって、前記無線通信装置は、前記ＩＰネットワークを介してパケットの送受信を行う第１パケット送受信部と、前記パケットの送受信によりＶｏＩＰ通信を行う第１ＶｏＩＰ通信部と、前記通信端末についての無線通信の設定情報を記憶する第１設定情報管理部と、前記設定情報に基づいて前記通信端末と無線通信を行う無線通信機能部と、前記設定情報からなるデータをパケットに挿入し、前記設定情報を含む送信パケットを生成して前記第１パケット送受信部に供給する第１データ処理部と、を含むことを特徴とする。
【００１２】
また、本発明によるプログラムは、通信端末と無線通信可能な無線通信装置を制御するプログラムであって、前記通信端末からの発呼に応答してＶｏＩＰ通信を行うＶｏＩＰ通信処理と、前記通信端末についての無線通信の設定情報をパケットに重畳し、前記設定情報を含む送信パケットを生成する送信パケット生成処理と、前記ＶｏＩＰ通信において、前記送信パケットを前記通信端末に送信するパケット送信処理と、を実行させることを特徴とする。
【発明の効果】
【００１３】
本発明によれば、ユーザの操作の手間が少なく、場所的な制約が小さい無線通信の設定が可能となる。
【図面の簡単な説明】
【００１４】
【図１】本発明の実施例１の通信システムの構成を示すブロック図である。
【図２】無音データを含むＲＴＰパケットの例を示す図である。
【図３】実施例１におけるゲートウェイ装置及び通信端末の動作を示すシーケンス図である。
【図４】本発明の実施例２の通信システムの構成を示すブロック図である。
【図５】実施例２におけるゲートウェイ装置、通信端末及びサーバの動作を示すシーケンス図である。
【図６】無音データ及びアスキーコードを用いてＳＳＩＤを表した場合の例を示す図である。
【図７】無音データ及びアスキーコードを用いて暗号キーを表した場合の例を示す図である。
【図８】本発明の実施例３の通信システムの構成を示すブロック図である。
【図９】実施例３における通信装置及び通信端末の動作を示すシーケンス図である。
【図１０】本発明の実施例４の通信システムの構成を示すブロック図である。
【図１１】実施例４における通信装置及び通信端末の動作を示すシーケンス図である。
【発明を実施するための形態】
【００１５】
以下、本発明の実施例を図面を参照しつつ詳細に説明する。
【実施例１】
【００１６】
図１は、ゲートウェイ装置１０、通信端末２０及びＩＰネットワークＮＷからなる通信システムの構成を示す図である。
【００１７】
ゲートウェイ装置１０は、ＩＥＥＥ（Institute of Electrical and Electronics Engineers）８０２．１１規格に準拠した無線ＬＡＮ（Local Area Network）のアクセスポイント（以下、無線ＡＰと称する）として動作可能な無線通信装置である。また、ゲートウェイ装置１０は、ＩＰネットワークＮＷと接続されている。そして、ゲートウェイ装置１０は、ＩＰネットワークＮＷ上のサーバ（図示せず）を介して他の通信装置とＶｏＩＰ（Voice over Internet Protocol）通信が可能である。ゲートウェイ装置１０は、ＶｏＩＰ機能部１１、無線ＡＰ機能部１２、無線データ管理部１３、ＲＴＰデータ処理部１４及びパケット送受信部１５を含む。
【００１８】
ＶｏＩＰ機能部１１は、ＶｏＩＰ通信における発呼、着呼及び自動応答を行うＶｏＩＰ通信部として機能する。また、ＶｏＩＰ機能部１１は、パケット送受信部１５を制御して、ＲＴＰ（Real-time Transport Protocol）パケットの送受信を行わせる。
【００１９】
無線ＡＰ機能部１２は、ゲートウェイ装置１０が無線ＡＰとして動作するのに必要な情報（以下、ＡＰ情報と称する）を無線データ管理部１３から取得し、ＩＥＥＥ８０２．１１規格に準拠した通信処理を行う。
【００２０】
無線データ管理部１３は、上記したＡＰ情報や、ゲートウェイ装置１０を無線ＡＰとする無線通信の設定に必要な端末のＳＳＩＤ（Service Set Identifier）及び暗号キー（以下、これらをまとめて単に設定情報とも称する）を記憶する。すなわち、無線データ管理部１３は、無線通信の設定情報を記憶する設定情報管理部として機能する。なお、ゲートウェイ装置１０を介して無線通信を行う複数の無線通信端末の各々には、異なる設定情報が割り当てられる。
【００２１】
ＲＴＰデータ処理部１４は、パケット送受信部１５により受信したパケットからデータを抽出する機能、及びデータをパケットに挿入して送信パケットを生成する機能を有する。
【００２２】
ＲＴＰデータ処理部１４は、通信端末２０とのＶｏＩＰ通信が開始した後、無線データ管理部１３から通信端末２０についてのＳＳＩＤ及び暗号キーを受け取り、これをＩＴＵ−Ｔ（International Telecommunication Union Telecommunication Standardization Sector）の勧告により規定されているＧ．７１１符号化規格に従って非音声データに変換し、当該非音声データを含むＲＴＰパケットを生成する。Ｇ．７１１符号化規格においては、データ０ｘ７Ｆ及び０ｘＦＦは無音を示すデータとして定められている。ＲＴＰデータ処理部１４は、例えばデータ０ｘ７Ｆを論理値１、データ０ｘＦＦを論理値０として非音声データを生成する。
【００２３】
図２は、非音声データを含むＲＴＰパケットの例を表す図である。ＲＴＰヘッダには、シーケンス番号やタイムスタンプ等のデータが含まれている。ＲＴＰペイロードには、ＳＳＩＤ及び暗号キーをＧ．７１１符号化規格に従って無音を示すデータ０ｘ７Ｆ及び０ｘＦＦに変換して得られた非音声データが含まれている。
【００２４】
パケット送受信部１５は、ＲＴＰデータ処理部１４が生成したＲＴＰパケットを含むパケットストリームをＩＰネットワークＮＷに送信する。また、ＩＰネットワークＮＷからパケットストリームを受信し、これに含まれるＲＴＰパケットをＲＴＰデータ処理部１４に供給する。
【００２５】
通信端末２０は、例えば液晶表示画面を有するスマートフォン等の携帯端末からなり、ＩＰネットワークＮＷと接続され、ＩＥＥＥ８０２．１１規格に準拠した無線ＬＡＮ端末（以下、無線ＳＴＡと称する）として動作可能な無線通信端末である。また、通信端末２０は、ＩＰネットワークＮＷ上のサーバ（図示せず）を介して他の通信装置とＶｏＩＰ通信が可能な通信端末である。通信端末２０は、ＶｏＩＰ機能部２１、無線ＳＴＡ機能部２２、無線データ管理部２３、ＲＴＰデータ処理部２４及びパケット送受信部２５を含む。
【００２６】
ＶｏＩＰ機能部２１は、ＶｏＩＰ通信における発呼、着呼及び自動応答を行うＶｏＩＰ通信部として機能する。また、ＶｏＩＰ機能部２１は、パケット送受信部２５を制御して、ＲＴＰパケットを送受信させる。
【００２７】
無線ＳＴＡ機能部２２は、設定情報等、通信端末２０が無線ＳＴＡとして動作するのに必要な情報（以下、無線ＳＴＡ情報と称する）を無線データ管理部２３から取得し、ＩＥＥＥ８０２．１１規格に準拠した通信処理を行う。
【００２８】
無線データ管理部２３は、設定情報を含む無線ＳＴＡ情報を記憶する設定情報管理部として機能する。
【００２９】
ＲＴＰデータ処理部２４は、パケット送受信部２５により受信したパケットからデータを抽出する機能、及びデータをパケットに挿入して送信パケットを生成する機能を有する。
【００３０】
ＲＴＰデータ処理部２４は、パケット送受信部２５を介して受信したＲＴＰパケットに含まれる設定情報を読み取り（抽出し）、これを無線データ管理部２３に供給する。
【００３１】
パケット送受信部２５は、ＩＰネットワークＮＷを介してＲＴＰパケットを含むパケットストリームの送受信を行う。また、パケット送受信部２５は、パケットストリームを受信し、これに含まれるＲＴＰパケットをＲＴＰデータ処理部２４に供給する。
【００３２】
図３は、ゲートウェイ装置１０と通信端末２０との間の通信設定を行う際のゲートウェイ装置１０及び通信端末２０の動作を示すシーケンス図である。以下、図３を参照しつつ、ゲートウェイ装置１０及び通信端末２０の動作を説明する。
【００３３】
通信端末２０のＶｏＩＰ機能部２１は、ユーザから通信設定の開始を要求する入力指示を受け、ゲートウェイ装置１０に対して発呼を行う（ステップＳ１１）。ゲートウェイ装置１０のＶｏＩＰ機能部１１は、通信端末２０からの発呼に対し、自動応答を行う（ステップＳ１２）。これにより、ゲートウェイ装置１０と通信端末２０とが通信状態（ＶｏＩＰ通信による通話状態）となる。
【００３４】
ゲートウェイ装置１０のＶｏＩＰ機能部１１は、通信端末２０との通信開始を示す通信開始通知をＲＴＰデータ処理部１４に供給する。ＲＴＰデータ処理部１４は、通信開始通知を受け、通信端末２０に割り当てる設定情報（ＳＳＩＤ及び暗号キー）を無線データ管理部１３から取得する。ＲＴＰデータ処理部１４は、取得した設定情報を非音声データに変換してＲＴＰパケットに重畳し、送信パケットを生成して、これをパケット送受信部１５に供給する。パケット送受信部１５は、送信パケットを含むパケットストリームを、ＩＰネットワークＮＷを介して通信端末２０に送信する（ステップＳ１３）。
【００３５】
通信端末２０のパケット送受信部２５は、ゲートウェイ装置１０から送信されたパケットを受信し、これをＲＴＰデータ処理部２４に供給する。ＲＴＰデータ処理部２４は、受信したパケットに含まれるＳＳＩＤ及び暗号キーを読み取り、これらを無線データ管理部２３に供給する。無線データ管理部２３は、ＳＳＩＤ及び暗号キーをテキストとして通信端末２０の液晶表示画面に表示させる（ステップＳ１４）とともに、これらを無線ＳＴＡ機能部２２に供給する。無線ＳＴＡ機能部２２は、受け取ったＳＳＩＤ及び暗号キーを通信端末２０の設定情報として設定する（ステップＳ１５）。
【００３６】
以上の動作により、ゲートウェイ装置１０と通信端末２０との間の通信設定を行う。通信端末２０及びゲートウェイ装置１０は、ＶｏＩＰ通信によって通信を行い、設定情報の送受信を行う。このため、ゲートウェイ装置１０と通信端末２０とを有線通信や近距離の無線通信等によって予め接続しておく必要がない。また、ユーザはＶｏＩＰ通信の発呼をするために通信端末２０を操作すればよく、ゲートウェイ装置１０に対してボタンの押下等の制御を行う必要がない。したがって、通信設定を行う際の場所的な制約が小さく、簡易な操作で設定を行うことが可能である。
【実施例２】
【００３７】
図４は、実施例２における通信システムの構成を示す図である。本実施例における通信システムは、ゲートウェイ装置１０、通信端末３０、サーバ４０、ＩＰネットワークＮＷ及び携帯電話網ＭＮからなる。なお、ゲートウェイ装置１０の構成については実施例１と同様であるため、説明を省略する。
【００３８】
通信端末３０は、例えば液晶表示画面を有するスマートフォン等の携帯端末からなり、無線ＳＴＡとして動作可能な無線通信端末である。また、通信端末３０は、携帯電話網ＭＮと接続され、他の通信端末との間における発呼、着呼及び通話が可能な携帯電話端末である。通信端末３０は、携帯通話機能部３１、無線ＳＴＡ機能部３２、無線データ管理部３３及び音声認識部３４を含む。
【００３９】
携帯通話機能部３１は、他の通信端末との間の通信を司る機能部であり、携帯電話網ＭＮを介して発呼、着呼及び通話を行う。
【００４０】
無線ＳＴＡ機能部３２は、設定情報を含む無線ＳＴＡ情報を無線データ管理部３３から取得し、ＩＥＥＥ８０２．１１規格に準拠した通信処理を行う。無線データ管理部３３は、設定情報を含む無線ＳＴＡ情報を記憶する設定情報管理部として機能する。
【００４１】
音声認識部３４は、携帯電話網ＭＮを介して取得した音声データに含まれる情報を取得する。
【００４２】
サーバ４０は、ＩＰネットワークＮＷ上に存在するサーバ装置であり、携帯電話網ＭＮと接続され、携帯電話網ＭＮを介した音声通話を行う機能及び通話音声を認識する機能を有する。サーバ４０は、ＲＴＰデータ処理部４１、音声データ生成部４２、パケット送受信部４３及び音声データ送受信部４４を含む。
【００４３】
ＲＴＰデータ処理部４１は、パケット送受信部４３により受信したパケットからデータを抽出する機能、及びデータをパケットに挿入して送信パケットを生成する機能を有する。例えば、ＲＴＰデータ処理部４１は、パケット送受信部４３を介して受信したＲＴＰパケットから設定情報等のデータを読み取り、これを音声データ生成部４２に供給する。
【００４４】
音声データ生成部４２は、ＲＴＰデータ処理部４１から供給されたデータを音声データに変換し、変換した音声データをＡＭＲ（Adaptive Multi-Rate）等の携帯端末向けの音声コーデックに変換する。
【００４５】
パケット送受信部４３は、ＲＴＰデータ処理部４１から供給されたＲＴＰパケットを含むパケットストリームをＩＰネットワークＮＷに送信する。また、ＩＰネットワークＮＷを介してパケットストリームを受信し、これに含まれるＲＴＰパケットをＲＴＰデータ処理部４１に供給する。
【００４６】
音声データ送受信部４４は、携帯電話網ＭＮを介して他の通信端末との間で音声データの送受信を行う。
【００４７】
図５は、ゲートウェイ装置１０と通信端末３０との間の通信設定を行う際の、ゲートウェイ装置１０、通信端末３０及びサーバ４０の動作を示すシーケンス図である。以下、図５を参照しつつ、ゲートウェイ装置１０、通信端末３０及びサーバ４０の動作を説明する。
【００４８】
通信端末３０の携帯通話機能部３１は、ユーザの操作に応じて、サーバ４０に対して発呼を行う（ステップＳ２１）。サーバ４０は、通信端末３０からの発呼に対し、自動応答を行う（ステップＳ２２）。
【００４９】
通信端末３０の携帯通話機能部３１は、ユーザによる相手先の通信装置（例えば、本実施例ではゲートウェイ装置１０）の電話番号情報の入力を受け、相手先の通信装置の電話番号情報をサーバ４０に通知する（ステップＳ２３）。サーバ４０は、通知された電話番号情報に基づいて、ゲートウェイ装置１０に対して発呼を行う（ステップＳ２４）。ゲートウェイ装置１０のＶｏＩＰ機能部１１は、サーバ４０からの発呼に対し、自動応答を行う（ステップＳ２５）。これにより、通信端末３０とサーバ４０との間、サーバ４０とゲートウェイ装置１０との間が、それぞれ通話状態となる。
【００５０】
ゲートウェイ装置１０のＶｏＩＰ機能部１１は、通話開始を示す通話開始通知をＲＴＰデータ処理部１４に供給する。ＲＴＰデータ処理部１４は、通話開始通知を受け、通信端末３０に割り当てる設定情報（ＳＳＩＤ及び暗号キー）を無線データ管理部１３から取得する。ＲＴＰデータ処理部１４は、取得した設定情報を非音声データに変換してＲＴＰパケットに重畳し、送信パケットを生成する。
【００５１】
図６及び図７は、設定情報についての非音声データをＲＴＰパケットに重畳する際、データ０ｘ７Ｆを論理値１、データ０ｘＦＦを論理値０として、２進数のアスキーコードを用いて表した場合の例を示す図である。例えば、ＳＳＩＤを「ＳＳＩＤ＝ＡＢＣＤＥＦＧＨ」、暗号キーを「ＰＡＳＳ＝１２３４５６７８」とすると、それぞれ図６、図７のように表される。例えば、２進数のアスキーコードでは、Ｓは「０１０１００１１」と表されるため、図６の「１」の行に示すように「０ｘＦＦ，０ｘ７Ｆ，０ｘＦＦ，０ｘ７Ｆ，０ｘＦＦ，０ｘＦＦ，０ｘ７Ｆ，０ｘ７Ｆ」となる。Ｉは「０１００１００１」と表されるため、図６の「３」の行に示すように「０ｘＦＦ，０ｘ７Ｆ，０ｘＦＦ，０ｘＦＦ，０ｘ７Ｆ，０ｘＦＦ，０ｘＦＦ，０ｘ７Ｆ」となる。
【００５２】
ゲートウェイ装置１０のＲＴＰデータ処理部１４は、非音声データをＲＴＰパケットに重畳して生成した送信パケットをパケット送受信部１５に供給する。パケット送受信部１５は、送信パケットを含むパケットストリームを、ＩＰネットワークＮＷを介してサーバ４０に送信する（ステップＳ２６）。
【００５３】
サーバ４０のパケット送受信部４３は、ゲートウェイ装置１０からのＲＴＰパケットを受信して、これをＲＴＰデータ処理部４１に供給する。ＲＴＰデータ処理部４１は、ＲＴＰパケットに含まれる設定情報を読み取り、これを音声データ生成部４２に供給する。音声データ生成部４２は、ＳＳＩＤ及び暗号キーを音声データに変換し、これをさらに携帯端末向けの音声コーデックに変換して、音声データ送受信部４４に供給する。音声データ送受信部４４は、音声データを通信端末３０に向けて送信する（ステップＳ２７）。
【００５４】
通信端末３０の携帯通話機能部３１は、受信した音声データを音声として再生するとともに、これを音声認識部３４に供給する。音声認識部３４は、音声データからＳＳＩＤ及び暗号キーを取得し、これらをデータに変換して無線データ管理部３３に供給する。無線データ管理部３３は、ＳＳＩＤ及び暗号キーをテキストとして通信端末３０の液晶表示画面に表示させる（ステップＳ２８）とともに、これらを無線ＳＴＡ機能部３２に供給する。無線ＳＴＡ機能部３２は、受け取ったＳＳＩＤ及び暗号キーを通信端末３０の設定情報として設定する（ステップＳ２９）。
【００５５】
以上の動作により、ゲートウェイ装置１０と通信端末３０との間の通信設定を行う。本実施例においては、通信端末３０から通話機能を用いて通信を行い、携帯電話網ＭＮを介して設定情報の送受信を行う。したがって、通信端末３０とゲートウェイ装置１０とを有線通信や近距離の無線通信等によって予め接続しておく必要がないため、場所的な制約が少ない。また、通信端末３０自体はＲＴＰデータ処理部を有していなくてもよいため、通常のスマートフォン等の通信端末を用いて設定を行うことができる。
【実施例３】
【００５６】
図８は、実施例３における通信システムの構成を示す図である。本実施例における通信システムは、通信装置５０、通信端末６０及びＩＰネットワークＮＷからなる。
【００５７】
ＩＰネットワークＮＷは、ＳＩＰ（Session Initiation Protocol）サーバ（図示せず）を有し、ＳＩＰを用いたＶｏＩＰ通信が可能なネットワークである。
【００５８】
通信装置５０は、ＩＥＥＥ８０２．１１規格に準拠した無線ＡＰとして動作可能な無線通信装置であり、ＩＰネットワークＮＷと接続されている。通信装置５０は、ＩＰネットワークＮＷ上のＳＩＰサーバを介して他の通信装置とＳＩＰを用いたＶｏＩＰ通信を行う。通信装置５０は、ＶｏＩＰ機能部５１、無線ＡＰ機能部５２、無線データ管理部５３、ＲＴＰデータ処理部５４、パケット送受信部５５及び認証情報管理部５６を含む。
【００５９】
ＶｏＩＰ機能部５１は、ＳＩＰメッセージを用いて、ＶｏＩＰ通信における発呼、着呼及び自動応答を行うＶｏＩＰ通信部として機能する。ＶｏＩＰ機能部５１は、認証情報管理部５６によりＶｏＩＰ通信の相手方となる通信端末の認証が承認された場合に、ＶｏＩＰ通信を開始する。また、ＶｏＩＰ機能部５１は、パケット送受信部５５を制御して、ＲＴＰパケットの送受信を行わせる。
【００６０】
無線ＡＰ機能部５２は、通信装置５０が無線ＡＰとして動作するのに必要なＡＰ情報を無線データ管理部５３から取得し、ＩＥＥＥ８０２．１１ａ／ｂ／ｇ／ｎ／ａｃ規格に準拠した通信処理を行う。
【００６１】
無線データ管理部５３は、上記したＡＰ情報や、通信装置５０を無線ＡＰとする無線通信の設定に必要な端末のＳＳＩＤ及び暗号キー（設定情報）を記憶する設定情報管理部として機能する。なお、通信装置５０を介して無線通信を行う複数の無線通信端末の各々には、異なる設定情報が割り当てられている。
【００６２】
ＲＴＰデータ処理部５４は、パケット送受信部５５により受信したパケットからデータを抽出する機能、及びデータをパケットに挿入して送信パケットを生成する機能を有する。
【００６３】
ＲＴＰデータ処理部５４は、通信装置５０と通信端末６０との間のＳＩＰを用いたＶｏＩＰ通信が開始した後、無線データ管理部５３から通信端末６０についてのＳＳＩＤ及び暗号キーを受け取り、これをＩＴＵ−Ｔの勧告により規定されているＧ．７１１符号化規格に従って非音声データに変換し、当該非音声データを含むＲＴＰパケットを生成する。Ｇ．７１１符号化規格においては、データ０ｘ７Ｆ及び０ｘＦＦは無音を示すデータとして定められている。ＲＴＰデータ処理部５４は、例えばデータ０ｘ７Ｆを論理値１、データ０ｘＦＦを論理値０として非音声データを生成する。
【００６４】
パケット送受信部５５は、ＲＴＰデータ処理部５４が生成したＲＴＰパケットを含むパケットストリームをＩＰネットワークＮＷに送信する。また、ＩＰネットワークＮＷからパケットストリームを受信し、これに含まれるＲＴＰパケットをＲＴＰデータ処理部５４に供給する。
【００６５】
認証情報管理部５６は、ＩＰネットワークＮＷを介して通信装置５０とＶｏＩＰ通信を行う複数の無線通信端末の電話番号情報と、予め各無線通信端末に割り当てられた通話パスワードとを格納する。通話パスワードは、ＶｏＩＰ通信を開始する際の端末認証に用いられる認証情報である。各無線通信端末には夫々異なる認証情報が割り当てられており、認証情報管理部５６は、かかる認証情報に基づいて認証を行い、認証結果をＶｏＩＰ機能部５１に通知する。
【００６６】
通信端末６０は、例えば液晶表示画面を有するスマートフォン等の携帯端末からなり、ＩＰネットワークＮＷと接続され、ＩＥＥＥ８０２．１１ａ／ｂ／ｇ／ｎ／ａｃ規格に準拠した無線ＳＴＡとして動作可能な無線通信端末である。通信端末６０は、ＩＰネットワークＮＷ上のＳＩＰサーバを介して、他の通信装置とＳＩＰを用いたＶｏＩＰ通信を行う。通信端末６０は、ＶｏＩＰ機能部６１、無線ＳＴＡ機能部６２、無線データ管理部６３、ＲＴＰデータ処理部６４、パケット送受信部６５及び設定呼制御部６６を含む。
【００６７】
ＶｏＩＰ機能部６１は、ＳＩＰを用いたＶｏＩＰ通信における発呼、着呼及び自動応答を行うＶｏＩＰ通信部として機能する。また、ＶｏＩＰ機能部６１は、パケット送受信部６５を制御して、ＲＴＰパケットを送受信させる。
【００６８】
無線ＳＴＡ機能部６２は、設定情報等、通信端末６０が無線ＳＴＡとして動作するのに必要な無線ＳＴＡ情報を無線データ管理部６３から取得し、ＩＥＥＥ８０２．１１ａ／ｂ／ｇ／ｎ／ａｃ規格に準拠した通信処理を行う。
【００６９】
無線データ管理部６３は、設定情報を含む無線ＳＴＡ情報を記憶する設定情報管理部として機能する。
【００７０】
ＲＴＰデータ処理部６４は、パケット送受信部６５により受信したパケットからデータを抽出する機能、及びデータをパケットに挿入して送信パケットを生成する機能を有する。ＲＴＰデータ処理部６４は、パケット送受信部６５を介して受信したＲＴＰパケットに含まれる設定情報を読み取り（抽出し）、これを無線データ管理部６３に供給する。
【００７１】
パケット送受信部６５は、ＩＰネットワークＮＷを介してＲＴＰパケットを含むパケットストリームの送受信を行う。また、パケット送受信部６５は、パケットストリームを受信し、これに含まれるＲＴＰパケットをＲＴＰデータ処理部６４に供給する。
【００７２】
設定呼制御部６６は、ユーザによる電話番号の入力操作及び通話パスワードの入力操作を受け付け、ＶｏＩＰ機能部６１を制御してＶｏＩＰ通信の発呼、切断等を行わせる。すなわち、設定呼制御部６６は、ユーザからの入力操作を受け付ける入力受付部として機能する。また、設定呼制御部６６は、入力された電話番号及び通話パスワードの情報を保持してＶｏＩＰ機能部６１に通知する通知機能を有する。
【００７３】
図９は、通信装置５０と通信端末６０との間の通信設定を行う際の通信装置５０及び通信端末６０の動作を示すシーケンス図である。なお、上記の通り、通信装置５０には、通信端末６０に予め付与された認証情報（通話パスワード）が記憶されている。
【００７４】
まず、通信端末６０の設定呼制御部６６は、ユーザのボタン操作等により、ＶｏＩＰ通信の相手方（発信先）となる通信装置５０の電話番号及び予め設定された通話パスワードの入力を受け付ける。設定呼制御部６６は、ユーザにより入力された電話番号情報を、ＶｏＩＰ通信の発呼の指示とともにＶｏＩＰ機能部６１に通知する。また、設定呼制御部６６は、ユーザにより入力された通話パスワードをＲＴＰデータ処理部６４に通知する。
【００７５】
ＶｏＩＰ機能部６１は、発呼の指示及び電話番号情報に基づいて、ＳＩＰを用いて通信装置５０に対して発呼を行う。具体的には、ＲＦＣ３２６４のオファー／アンサーモデルに基づく「ＩＮＶＩＴＥ」リクエストを、ＩＰネットワークＮＷを介して通信装置５０に送信する（ステップＳ３１）。
【００７６】
通信装置５０のＶｏＩＰ機能部５１は、「ＩＮＶＩＴＥ」リクエストを受信し、これに応答して、当該リクエストに係る処理を実行中であることを示す「１００Ｔｒｙｉｎｇ」メッセージを、通信端末６０に送信する（ステップＳ３２）。また、ＶｏＩＰ機能部５１は、セッションが進行したことを示す「１８３ＳｅｓｓｉｏｎＰｒｏｇｒｅｓｓ」メッセージを、通信端末６０に送信する（ステップＳ３３）。ＶｏＩＰ機能部５１は、ＲＴＰ通信の開始指示をＲＴＰデータ処理部５４に供給する。この開始指示に応じて、ＲＴＰデータ処理部５４はＲＴＰデータの生成を開始し、パケット送受信部５５は生成されたＲＴＰデータのＩＰネットワークＮＷへの送信を開始する。
【００７７】
通信端末６０のＶｏＩＰ機能部６１は、「１８３ＳｅｓｓｉｏｎＰｒｏｇｒｅｓｓ」メッセージの受信に応じて、ＲＴＰデータの生成開始の指示をＲＴＰデータ処理部６４に供給する。ＲＴＰデータ処理部６４は、設定呼制御部６６から通知された通話パスワードをＲＴＰパケットに重畳して、送信パケットを生成する。パケット送受信部６５は、送信パケットを含むパケットストリームを、ＩＰネットワークＮＷを介して通信装置５０に送信する（ステップＳ３４）。
【００７８】
通信装置５０のパケット送受信部５５は、通信端末６０から送信されたパケットを受信し、これをＲＴＰデータ処理部５４に供給する。ＲＴＰデータ処理部５４は、受信したパケットに含まれる認証情報（通話パスワード）を読み取り、これを認証情報管理部５６に供給する。
【００７９】
認証情報管理部５６は、供給された通話パスワードが正しいかどうか、すなわち通信端末６０から受信した認証情報が認証情報管理部５６に格納されている認証情報と一致するか否かを判定する。通話パスワードが正しい（すなわち、認証情報が一致する）と判定した場合、認証を承認し、ＶｏＩＰ通信による通話開始の指示をＶｏＩＰ機能部５１に供給する。
【００８０】
一方、通話パスワードが間違っている（すなわち、認証情報が一致しない）と判定した場合、認証情報管理部５６は認証を承認せず、ＶｏＩＰ機能部５１を介して例えば「４８６ＢｕｓｙＨｅｒｅ」メッセージを通信端末６０に送信する。なお、送信するメッセージはこれに限られず、適宜使用可能なメッセージを用いてもよい。
【００８１】
通話パスワードが正しいと判定されると、ＶｏＩＰ機能部５１は、認証情報管理部５６からの通話開始の指示に応じて、「ＩＮＶＩＴＥ」リクエストに対する「２００ＯＫ」メッセージを通信端末６０に送信する（ステップＳ３５）。通信端末６０のＶｏＩＰ機能部６１は、「２００ＯＫ」メッセージの受信に応答して、「Ａｃｋ」メッセージを通信装置５０に送信する（ステップＳ３６）。これにより、通信装置５０及び通信端末６０は、ＶｏＩＰ通信による通話状態となる。
【００８２】
通信装置５０のＶｏＩＰ機能部５１は、通信端末６０とのＶｏＩＰ通信開始を示す通信開始通知をＲＴＰデータ処理部５４に供給する。ＲＴＰデータ処理部５４は、通信開始通知を受け、通信端末６０に割り当てる設定情報（ＳＳＩＤ及び暗号キー）を無線データ管理部５３から取得する。ＲＴＰデータ処理部５４は、取得した設定情報を非音声データに変換してＲＴＰパケットに重畳し、送信パケットを生成して、これをパケット送受信部５５に供給する。パケット送受信部５５は、送信パケットを含むパケットストリームを、ＩＰネットワークＮＷを介して通信端末６０に送信する（ステップＳ３７）。
【００８３】
通信端末６０のパケット送受信部６５は、通信装置５０から送信されたパケットを受信し、これをＲＴＰデータ処理部６４に供給する。ＲＴＰデータ処理部６４は、受信したパケットに含まれるＳＳＩＤ及び暗号キーを読み取り、これらを無線データ管理部６３に供給する。無線データ管理部６３は、ＳＳＩＤ及び暗号キーをテキストとして通信端末６０の液晶表示画面に表示させる（ステップＳ３８）とともに、これらを無線ＳＴＡ機能部６２に供給する。無線ＳＴＡ機能部６２は、受け取ったＳＳＩＤ及び暗号キーを通信端末６０の設定情報として設定する（ステップＳ３９）。
【００８４】
以上の動作により、通信装置５０と通信端末６０との間の通信設定を行う。通信端末６０から通話機能を用いて通信を行い、ＩＰネットワークＮＷを介して設定情報の送受信を行うため、通信端末６０と通信装置５０とを有線通信や近距離の無線通信等によって予め接続しておく必要がなく、場所的な制約が少ない。さらに、本実施例では、通信装置５０は、ＶｏＩＰ通信の開始に先立ち、認証情報を用いて通信端末６０を認証する処理を行う。これにより、通信設定を行おうとしている端末が正当な端末であるか否かを判定することができるため、簡易な操作で且つセキュリティの高い通信設定を行うことが可能となる。
【実施例４】
【００８５】
図１０は、実施例４における通信システムの構成を示す図である。本実施例における通信システムは、通信装置５０、通信端末３０、サーバ７０、ＩＰネットワークＮＷ及び携帯電話網ＭＮからなる。なお、通信装置５０の構成については実施例３と同様であるため、説明を省略する。また、通信端末３０の構成については実施例２と同様であるため、説明を省略する。
【００８６】
サーバ７０は、ＩＰネットワークＮＷ上に存在するサーバ装置であり、携帯電話網ＭＮと接続され、携帯電話網ＭＮを介した音声通話を行う機能及び通話音声を認識する機能を有する。サーバ７０は、ＲＴＰデータ処理部７１、音声データ生成部７２、パケット送受信部７３、音声認識部７４及びＶｏＩＰ機能部７５を含む。
【００８７】
ＲＴＰデータ処理部７１は、パケット送受信部７３により受信したパケットからデータを抽出する機能、及びデータをパケットに挿入して送信パケットを生成する機能を有する。例えば、ＲＴＰデータ処理部７１は、パケット送受信部７３を介して受信したＲＴＰパケットから設定情報等のデータを読み取り、これを音声データ生成部７２に供給する。
【００８８】
音声データ生成部７２は、ＲＴＰデータ処理部７１から供給されたデータを音声データに変換する。
【００８９】
パケット送受信部７３は、ＲＴＰデータ処理部７１から供給されたＲＴＰパケットを含むパケットストリームをＩＰネットワークＮＷに送信する。また、ＩＰネットワークＮＷを介してパケットストリームを受信し、これに含まれるＲＴＰパケットをＲＴＰデータ処理部７１に供給する。
【００９０】
音声認識部７４は、携帯電話網ＭＮを介して取得した音声データに含まれる情報を取得することにより、通話音声を認識する。
【００９１】
ＶｏＩＰ機能部７５は、ＳＩＰメッセージを用いて、ＶｏＩＰ通信における発呼、着呼及び自動応答を行うＶｏＩＰ通信部として機能する。
【００９２】
図１１は、通信装置５０と通信端末３０との間の通信設定を行う際の、通信装置５０、通信端末３０及びサーバ７０の動作を示すシーケンス図である。なお、実施例３と同様、通信装置５０には、通信端末３０に予め付与された認証情報（通話パスワード）が記憶されている。
【００９３】
通信端末３０の携帯通話機能部３１は、ユーザの操作に応じて、サーバ７０に対して発呼を行う（ステップＳ４１）。サーバ７０は、通信端末３０からの発呼に対し、自動応答を行う（ステップＳ４２）。
【００９４】
サーバ７０は、通信端末３０から、通話の相手先となる通信装置（例えば、通信装置５０）の電話番号情報が通知されるのを待つ。この際、サーバ７０は、例えば相手先の電話番号の入力をユーザに促す音声メッセージを通信端末３０に送信し、通信端末３０において再生させることにより、相手先の電話番号情報を要求する（ステップＳ４３）。
【００９５】
通信端末３０の携帯通話機能部３１は、ユーザによる相手先の電話番号情報の入力を受け、当該電話番号情報をサーバ７０に通知する（ステップＳ４４）。サーバ７０のＶｏＩＰ機能部７５は、通知された電話番号情報に基づいて、ＳＩＰを用いて通信装置５０に対し発呼を行う。具体的には、ＲＦＣ３２６４のオファー／アンサーモデルに基づく「ＩＮＶＩＴＥ」リクエストを、ＩＰネットワークＮＷを介して通信装置５０に送信する（ステップＳ４５）。
【００９６】
通信装置５０のＶｏＩＰ機能部５１は、「ＩＮＶＩＴＥ」リクエストを受信し、これに応答して、当該リクエストに係る処理を実行中であることを示す「１００Ｔｒｙｉｎｇ」メッセージを、サーバ７０に送信する（ステップＳ４６）。また、ＶｏＩＰ機能部５１は、セッションが進行したことを示す「１８３ＳｅｓｓｉｏｎＰｒｏｇｒｅｓｓ」メッセージを、サーバ７０に送信する（ステップＳ４７）。ＶｏＩＰ機能部５１は、ＲＴＰ通信の開始指示をＲＴＰデータ処理部５４に供給する。この開始指示に応じて、ＲＴＰデータ処理部５４はＲＴＰデータの生成を開始し、パケット送受信部５５は生成されたＲＴＰデータのＩＰネットワークＮＷへの送信を開始する。
【００９７】
サーバ７０のＶｏＩＰ機能部７５は、「１８３ＳｅｓｓｉｏｎＰｒｏｇｒｅｓｓ」メッセージの受信に応じて、ユーザに通話パスワードの入力を促すための音声データの生成要求を音声データ生成部７２に供給する。音声データ生成部７２は、当該生成要求に従って、ユーザに通話パスワードの入力を促す内容の所定の音声ガイダンスを含む音声データを生成する。音声データ生成部７２は、生成した音声データをＲＴＰデータ処理部７１に供給する。
【００９８】
ＲＴＰデータ処理部７１は、上記音声ガイダンスを含む音声データをＲＴＰパケットに重畳して、送信パケットを生成する。パケット送受信部７３は、送信パケットを含むパケットストリームを、携帯電話網ＭＮを介して通信端末３０に送信する（ステップＳ４８）。
【００９９】
通信端末３０は、携帯電話網ＭＮを介して取得した音声ガイダンスを再生し、ＤＴＭＦ（Dual Tone Multi-Frequency）方式による通話パスワードの入力を受け付ける。ユーザにより通話パスワードの入力がなされると、通信端末３０は、入力された通話パスワードを認証情報データとして携帯電話網ＭＮを介してサーバ７０に送信する（ステップＳ４９）。
【０１００】
サーバ７０のＲＴＰデータ処理部７１は、受信した認証情報データをＲＴＰパケットに重畳して、送信パケットを生成する。パケット送受信部７３は、送信パケットを含むパケットストリームを、ＩＰネットワークＮＷを介して通信装置５０に送信する。
【０１０１】
通信装置５０のパケット送受信部５５は、サーバ７０から送信されたパケットを受信し、これをＲＴＰデータ処理部５４に供給する。ＲＴＰデータ処理部５４は、受信したパケットに含まれる通話パスワード（認証情報データ）を読み取り、これを認証情報管理部５６に供給する。
【０１０２】
認証情報管理部５６は、供給された通話パスワードが正しいかどうか、すなわちサーバ７０から受信した通信端末３０についての認証情報が認証情報管理部５６に格納されている認証情報と一致するか否かを判定する。通話パスワードが正しい（認証情報が一致する）と判定した場合、認証を承認し、ＶｏＩＰ通信による通話開始の指示をＶｏＩＰ機能部５１に供給する。
【０１０３】
ＶｏＩＰ機能部５１は、認証情報管理部５６からの通話開始の指示に応じて、「ＩＮＶＩＴＥ」リクエストに対する「２００ＯＫ」メッセージをサーバ７０に送信する（ステップＳ５０）。サーバ７０のＶｏＩＰ機能部７５は、「２００ＯＫ」メッセージの受信に応答して、「Ａｃｋ」メッセージを通信装置５０に送信する（ステップＳ５１）。これにより、通信装置５０及びサーバ７０は、ＶｏＩＰ通信による通話状態となる。
【０１０４】
通信装置５０のＶｏＩＰ機能部５１は、サーバ７０とのＶｏＩＰ通信開始を示す通信開始通知をＲＴＰデータ処理部５４に供給する。ＲＴＰデータ処理部５４は、通信開始通知を受け、通信端末３０に割り当てる設定情報（ＳＳＩＤ及び暗号キー）を無線データ管理部５３から取得する。ＲＴＰデータ処理部５４は、取得した設定情報を非音声データに変換してＲＴＰパケットに重畳し、送信パケットを生成する。
【０１０５】
通信装置５０のＲＴＰデータ処理部５４は、非音声データをＲＴＰパケットに重畳して生成した送信パケットをパケット送受信部５５に供給する。パケット送受信部５５は、送信パケットを含むパケットストリームを、ＩＰネットワークＮＷを介してサーバ７０に送信する（ステップＳ５２）。
【０１０６】
サーバ７０のパケット送受信部７３は、通信装置５０からのＲＴＰパケットを受信して、これをＲＴＰデータ処理部７１に供給する。ＲＴＰデータ処理部７１は、ＲＴＰパケットに含まれる設定情報を読み取り、これを音声データ生成部７２に供給する。音声データ生成部７２は、ＳＳＩＤ及び暗号キーを音声データに変換し、ＲＴＰデータ処理部７１に供給する。ＲＴＰデータ処理部７１は、音声データをＲＴＰパケットに重畳して送信パケットを生成し、パケット送受信部７３に供給する。パケット送受信部７３は、送信パケットをＩＰネットワークＮＷ及び携帯電話網ＭＮを介して通信端末３０に送信する。送信パケットは、携帯電話網ＭＮにおいてＡＭＲ等の携帯端末向けの音声コーデックに変換され、通信端末３０に供給される（ステップＳ５３）。
【０１０７】
通信端末３０の携帯通話機能部３１は、受信した音声データを音声として再生するとともに、これを音声認識部３４に供給する。音声認識部３４は、音声データからＳＳＩＤ及び暗号キーを取得し、これらをデータに変換して無線データ管理部３３に供給する。無線データ管理部３３は、ＳＳＩＤ及び暗号キーをテキストとして通信端末３０の液晶表示画面に表示させる（ステップＳ５４）とともに、これらを無線ＳＴＡ機能部３２に供給する。無線ＳＴＡ機能部３２は、受け取ったＳＳＩＤ及び暗号キーを通信端末３０の設定情報として設定する（ステップＳ５５）。
【０１０８】
以上の動作により、通信装置５０と通信端末３０との間の通信設定を行う。通信端末３０から通話機能を用いて通信を行い、携帯電話網ＭＮを介して設定情報の送受信を行うため、通信端末３０と通信装置５０とを有線通信や近距離の無線通信等によって予め接続しておく必要がなく、場所的な制約が少ない。また、通信端末３０自体はＲＴＰデータ処理部を有していなくてもよいため、通常のスマートフォン等の通信端末を用いて設定を行うことができる。さらに、本実施例では、通信装置５０は、ＶｏＩＰ通信の開始に先立ち、認証情報を用いて通信端末３０を認証する処理を行う。これにより、通信設定を行おうとしている端末が正当な端末であるか否かを判定することができるため、簡易な操作で且つセキュリティの高い通信設定を行うことが可能となる。
【０１０９】
なお、本発明の実施形態は、上記実施例に記載したものに限られない。例えば、実施例１及び実施例２では、ゲートウェイ装置１０が自動応答を行う例について説明した。しかし、設定確認の通信（通話）であることが識別できればよいため、例えば通常の通話機能を行う電話番号の他に通信設定のための専用の電話番号を備え、専用の電話番号に対して着信があった場合にのみ通信設定の処理を行う構成としても良い。
【０１１０】
また、実施例１及び実施例２では、ＶｏＩＰ通信や携帯電話網を介した発呼をユーザの操作によるものとして説明したが、これに限られず、代替するソフトウェアにより実現するものであってもよい。すなわち、手法の如何を問わず、電話としての発呼の動作ができればよい。
【０１１１】
また、実施例１では、ゲートウェイ装置１０のＲＴＰデータ処理部１４が、ＶｏＩＰ機能部１１からの通信開始通知に応じて無線データ管理部１３から設定情報を取得し、これをＲＴＰパケットに重畳して送信パケットを生成する例について説明した。しかし、ゲートウェイ装置１０と通信端末２０との間のＶｏＩＰ通信の開始後、通信端末２０がゲートウェイ装置１０に向けて設定情報の送信要求を発信し、ゲートウェイ装置１０がこれに応じて設定情報を含む送信パケットの生成及び送信を行う構成であっても良い。例えば、ゲートウェイ装置１０のＲＴＰデータ処理部１４は、受信したパケットからデータを抽出し、抽出したデータに設定情報送信要求が含まれていた場合に、無線データ管理部１３から設定情報を取得して、これを重畳した送信パケットの生成を行う。同様に、実施例２においても、通信端末３０からの設定情報の送信要求に応じて、ゲートウェイ装置１０のＲＴＰデータ処理部１４が上記動作を行う構成であっても良い。
【０１１２】
また、実施例２では、サーバ４０がゲートウェイ装置１０を呼び出す例について説明した。しかし、ゲートウェイ装置１０を呼び出す装置はサーバ装置に限られず、ＲＴＰパケットに重畳されたデータを音声データに変換して携帯電話網ＭＮに送信可能な装置であればよい。例えば、サーバ４０の代わりに音声変換の機能を有する別のゲートウェイ装置を用いてもよい。
【０１１３】
また、実施例２では、ＲＴＰパケットへのデータの重畳にアスキーコードを用いる例について説明した。しかし、これに限定されず、重畳データから音声パケットへの変換が可能な他の文字コードを用いてもよい。
【０１１４】
要するに、本発明のゲートウェイ装置（１０）は、ＩＰネットワーク（ＮＷ）に接続され、通信端末（２０、３０）と無線通信可能な無線通信装置であって、ＩＰネットワークを介してパケットの送受信を行うパケット送受信部（１５）と、パケットの送受信によりＶｏＩＰ通信を行うＶｏＩＰ通信部（１１）と、通信端末についての無線通信の設定情報を記憶する設定情報管理部（１３）と、設定情報に基づいて通信端末との無線通信を行う無線通信機能部（１２）と、設定情報からなるデータをパケットに挿入し、設定情報を含む送信パケットを生成してパケット送受信部に供給するデータ処理部（１４）と、を含む。
【０１１５】
また、実施例２では、図４において、携帯電話網ＭＮとサーバ４０との間にＭＧＷ（Media Gateway）装置を配し、ＭＧＷ装置が、携帯電話網ＭＮとサーバ４０との間でコーデック変換（ＡＭＲからＧ．７１１またはその逆等）を行うようにしてもよい。この場合、ＭＧＷ装置及びサーバ４０は、通信端末３０とゲートウェイ装置１０との間に介在するよう配される。なお、サーバ４０は、図４のとおり携帯電話網ＭＮとＩＰネットワークＮＷとの間に配されてもよいし、ＩＰネットワークＮＷ中または携帯電話網ＭＮ中に配されてもよい。
【０１１６】
本発明によれば、通信端末及びゲートウェイ装置がＶｏＩＰ通信によって設定情報の送受信を行うため、ゲートウェイ装置と通信端末とを有線通信や近距離の無線通信等によって予め接続しておく必要がない。また、ユーザはゲートウェイ装置に対してボタンの押下等の制御を行う必要がない。したがって、ユーザの操作の手間が少なく、場所的な制約が小さい無線通信の設定を行うことが可能となる。
【０１１７】
また、実施例３及び実施例４では、通信装置５０の認証情報管理部５６が、通信端末６０（３０）から供給された認証情報（通話パスワード）が、認証情報管理部５６に格納されている認証情報と一致するか否かに基づいて認証を行う例について説明した。しかし、認証方式はこれに限られず、例えばチャレンジ＆レスポンス方式等により認証を行っても良い。
【０１１８】
また、実施例４では、通信端末３０からの通話パスワードをＤＴＭＦ方式により入力及び通知する例について説明した。しかし、通話パスワードの入力及び通知の方法はこれに限定されない。例えば、通信端末３０において音声で通話パスワードの入力を受け付け、音声データとして送信し、サーバ７０において音声認識ソフトウェアを用いて通話パスワードを認識する構成であっても良い。
【０１１９】
また、実施例４では、サーバ７０をＩＰネットワークＮＷ上に配した。しかし、ＩＰネットワークＮＷと携帯電話網ＭＮとの間にあるコーデック変換機能を有するＭＧＷ（Media Gateway）に、サーバ７０を配置しても良い。その際、サーバ７０は、ＳＩＰによる通話が可能で、携帯電話網ＭＮからの通話パスワードをデータへと変換し、ＲＴＰパケットに重畳されたデータを音声に変換する機能を有していればよい。
【符号の説明】
【０１２０】
１０  ゲートウェイ装置
１１  ＶｏＩＰ機能部
１２  無線ＡＰ機能部
１３  無線データ管理部
１４  ＲＴＰデータ処理部
１５  パケット送受信部
２０  通信端末
２１  ＶｏＩＰ機能部
２２  無線ＳＴＡ機能部
２３  無線データ管理部
２４  ＲＴＰデータ処理部
２５  パケット送受信部
３０  通信端末
３１  携帯通話機能部
３２  無線ＳＴＡ機能部
３３  無線データ管理部
３４  音声認識部
４０  サーバ
４１  ＲＴＰデータ処理部
４２  音声データ生成部
４３  パケット送受信部
４４  音声データ送受信部
５０  通信装置
５１  ＶｏＩＰ機能部
５２  無線ＡＰ機能部
５３  無線データ管理部
５４  ＲＴＰデータ処理部
５５  パケット送受信部
５６  認証情報管理部
６０  通信端末
６１  ＶｏＩＰ機能部
６２  無線ＳＴＡ機能部
６３  無線データ管理部
６４  ＲＴＰデータ処理部
６５  パケット送受信部
６６  設定呼制御部
７０  サーバ
７１  ＲＴＰデータ処理部
７２  音声データ生成部
７３  パケット送受信部
７４  音声認識部
７５  ＶｏＩＰ機能部
ＮＷ  ＩＰネットワーク
ＭＮ  携帯電話網
【図１】
0006507945.tif 000002
【図２】
0006507945.tif 000003
【図３】
0006507945.tif 000004
【図４】
0006507945.tif 000005
【図５】
0006507945.tif 000006
【図６】
0006507945.tif 000007
【図７】
0006507945.tif 000008
【図８】
0006507945.tif 000009
【図９】
0006507945.tif 000010
【図１０】
0006507945.tif 000011
【図１１】
0006507945.tif 000012